(57)【特許請求の範囲】
【請求項１】
繊維製品用液体ドライクリーニング溶剤組成物であって、n-臭化プロピル、柔軟仕上げ量の少なくとも1種の界面活性剤、及び安定させる量の前記組成物安定化剤を含む前記組成物であって、前記安定化剤が（a）モノニトロ炭化水素、（b）エポキシド、又は（c）（a）と（b）との組み合わせを含む前記組成物。
【請求項２】
界面活性剤が少なくとも1種の陰イオン界面活性剤を含む請求の範囲第２項に記載の組成物。
【請求項３】
界面活性剤が少なくとも1種の非イオン性界面活性剤を含む請求の範囲第２項に記載の組成物。
【請求項４】
界面活性剤が少なくとも1種の陽イオン界面活性剤を含む請求の範囲第２項に記載の組成物。
【請求項５】
界面活性剤が少なくとも1種の陰イオン界面活性剤と、少なくとも1種の非イオン性界面活性剤とを含む請求の範囲第２項に記載の組成物。
【請求項６】
界面活性剤が少なくとも1種の陰イオン界面活性剤と、少なくとも1種の陽イオン界面活性剤とを含む請求の範囲第２項に記載の組成物。
【請求項７】
安定化剤がさらに少なくとも1種のエーテルを含む請求の範囲第８項に記載の組成物。
【請求項８】
安定化剤が（a）ニトロメタン、（b）1,2-ブチレンオキシド、又は（c）（a）と（b）との組み合わせを含む請求の範囲第２項に記載の組成物。
【請求項９】
安定化剤がさらに1,3-ジオキソランを含む請求の範囲第１０項に記載の組成物。
【請求項１０】
安定化剤が、n-臭化プロピル、界面活性剤及び安定化剤の合計重量に基づいて、約0.4〜0.6重量％のニトロメタンと、約0.4〜0.6重量％の1,2-ブチレンオキシドとを含む請求の範囲第１０項に記載の組成物。
【請求項１１】
安定化剤が、n-臭化プロピル、界面活性剤及び安定化剤の合計重量に基づいて、約0.4〜0.6重量％のニトロメタンと、約0.4〜0.6重量％の1,2-ブチレンオキシドと、約3.6〜6.0重量％の1,3-ジオキソランを含む請求の範囲第１１項に記載の組成物。
【請求項１２】
ドライクリーニング可能な繊維製品をドライクリーニングする方法であって、請求の範囲第１項から第１３項のいずれか一項に記載の組成物を用いて繊維製品を洗浄する工程を含む前記方法。
【発明の詳細な説明】
【０００１】
（発明の分野）
本発明は、その目的の範囲内で、新規な繊維製品用ドライクリーニング溶剤組成物及びそのような組成物を繊維製品のドライクリーニングで使用する方法を提供することに関する。
（発明の背景）
2種類の繊維製品用ドライクリーニング溶剤、すなわちパークロロエチレンと一定の炭化水素混合物は、世界中で長年一般に使用されている。又、幾つかの他の塩素化炭化水素又は塩素フッ素化炭化水素溶剤も使用されている。しかし、近年これらのドライクリーニング溶剤の使用を中止することが、市場で求められるようになった。常につきまとう火災危険及び皮膚の過敏症の問題の発生のために、ドライクリーニング剤として炭化水素系溶媒の使用の継続を望まなくなり、その結果、健康及び環境への懸念から、パークロロエチレンはドライクリーニング溶剤として望まれなくなった。その他の塩素化溶剤又は塩素フッ素化溶剤は、政府の規制、高コスト、又は性能に関する理由のために利用できず、又は望まれなくなった。このように、以前使用していたドライクリーニング溶剤に関連した問題を回避する、問題のない代替溶剤組成物を発見できるかどうかを確かめることは、商業上重要になってきた。
新規な繊維製品用ドライクリーニング溶剤組成物を見出すことは、難しい仕事である。健康及び環境への懸念、及び火災危険を回避することに加えて、該組成物はクリーニングされる繊維製品にダメージを与えないで、種々の繊維製品をクリーニングするのに有効でなければならない。又、該組成物は、その装置又は操作の実質的な変更又は修正を要求せず、その装置の金属部分にダメージを与えないで、現在使用している種々のドライクリーニング装置で使用できなければならない。本発明は、これらの要求のすべてを非常に有効に満足するものである。
【０００２】
（発明の要約）
驚いたことに、本発明は上記の要求のすべてを満たすことを可能にするだけでなく、優れたクリーニング、より少ない繊維製品の皺、より少ない熱収縮、アイロン仕上げの負担が少なく、及び短いクリーニングサイクル時間でできる柔軟仕上げを提供することを可能にする。これらの利点は本発明に基づいて、繊維製品用液体ドライクリーニング溶剤組成物を提供し、使用することによって達成され、このような組成物は（i）分子内に3〜6個の炭素原子を有する少なくとも1種の1-ブロモアルカン、（ii）柔軟仕上げ量の少なくとも1種の界面活性剤、例えば陰イオン又は非イオン性界面活性剤、及び（iii）安定させる量の該組成物安定化剤を含む。
【０００３】
本発明の他の実施態様は、ドライクリーニング溶剤が本発明の液体ドライクリーニング溶剤組成物であるドライクリーニング装置で繊維製品を洗浄することを含む繊維製品のクリーニング方法である。
繊維製品から油性の染み又は汚れを除去する方法であって、本発明の液体ドライクリーニング溶剤組成物を少なくとも繊維製品の染み又は汚れの付いた部分に適用することを含む該方法は、本発明の別の実施態様である。
本発明の他の実施態様及び特徴は、以下の記載、添付図面、及び特許請求の範囲により、さらに明らかになるであろう。
【０００４】
（発明の詳細な説明）
溶剤組成物
本発明の組成物は、分子中に3〜6個の範囲の炭素原子を有する液体1-ブロモアルカンの1種以上を50重量％よりも多く、好ましくは90重量％よりも多く含む。そのような1-ブロモアルカンは、好ましくは直鎖1-ブロモアルカンであるが、1-ブロモアルカン成分の一部（例えば、5重量％以下、好ましくは2重量％以下）は、臭素原子が一級炭素原子に結合される1種以上の分岐鎖1-ブロモアルカン異性体であってもよい。
組成物の溶剤成分が分子内に3〜6個の炭素原子を有する1種以上の1-ブロモアルカン（このような1-ブロモアルカンの工業用グレードにおいて通常存在する最大5重量％、好ましくは2重量％以下の不純物）からなるのが好ましい。しかし、1種以上の1-ブロモアルカンとパークロロエチレン及び／又は炭化水素系ドライクリーニング溶剤、例えばパラフィン、ナフテン及び／又は約120〜220℃の範囲の沸点を有する芳香族炭化水素、又は150〜210℃の範囲で沸騰するミネラルスピリットである最大40重量％の溶剤成分（添加剤の重量を除く）とのブレンドを使用することも可能である。そのようなブレンドを使用する場合、パークロロエチレン及び／又は炭化水素系ドライクリーニング溶剤の割合をできるだけ最小限にするのが好ましい。換言すれば、溶剤成分（すなわち、パークロロエチレン及び／又は炭化水素系溶剤）の量が低ければ低いほど良く、そのようなパークロロエチレン及び炭化水素溶剤をまったく含まないものが最も望ましい。
本発明の方法における使用に対する費用効果の点から最も好ましい1-ブロモアルカンは、添加剤を含まない場合、少なくとも98重量％の純度を有する1-臭化プロピル（n-臭化プロピル又は1-ブロモプロパンとしても知られている）である。
【０００５】
界面活性剤成分
柔軟仕上げ量の少なくとも1種の界面活性剤は、本発明の組成物で使用される。該量は界面活性剤組成に若干依存して変化し、特定の溶剤の構成が本発明に従って使用される。しかし、一般的に本発明の組成物は、1種以上のそのような界面活性剤を組成物の合計重量に基づいて、0.05〜約2重量％の範囲で、好ましくは0.1〜1重量％の範囲で含む。
好ましい界面活性剤は、陰イオン界面活性剤又は非イオン系界面活性剤であるが、陽イオン界面活性剤も使用できる。本発明の方法で使用される界面活性剤は溶剤に可溶であり、使用される安定化剤と混合できるものである。
好適な陰イオン界面活性剤には、アルキル硫酸塩のアルカノールアミン塩、ポリオキシアルキレンアルキル硫酸塩のアルカノールアミン塩、及びアルキルアリールスルホネートのアルカノールアミン塩がある。そのような塩のアルカノールアミン対イオンは、一般的に200℃を超える沸点を有する種々のアルカノールアミン、例えばジエタノールアミン、トリエタノールアミン、ジブチルエタノールアミン、及びメチルジエタノールアミンから誘導できる。アルキルサルフェートのアルカノールアミン塩、及びポリオキシアルキレンアルキルサルフェートのアルカノールアミン塩は、下記式で表すことができる。
【０００６】
【化１】
0003696161.tif 000002
【０００７】
（式中、Rは水素原子又はメチル基であり、R1は10〜20個の炭素原子を有するアルキル基であり、nは0〜6の整数であり、Zはアルカノールアミン対イオンである。）
そのようなサルフェートの例としては、ジブチルエタノールアミンドデシルサルフェート、メチルジエタノールアミンポリオキシエチレン（2）ドデシルサルフェート、及びジエタノールアミンポリオキシエチレン（6）ドデシルサルフェートが挙げられる。
アルキルアリールスルホネートアルカノールアミン塩は、下記式で表すことができる。
R2ArSO3Z
（式中、R2は8〜20個の炭素原子のアルキル基であり、Arはフェニル基又はナフチル基であり、Zはアルキルアミン対イオンである。）
ジエタノールアミンドデシルベンゼンスルホネートはそのような界面活性剤の代表的な例である。この種の好ましい界面活性剤は、R2が10〜16個の炭素原子のアルキルであり、Arがフェニル基であり、Zが2つのアルキル基がそれぞれ独立に2〜4個の炭素原子を有する直鎖又は分枝鎖アルキル基であり、化合物のアルカノール部分は2又は3個の炭素原子を有し、特にアルカノール部分はエタノール部分又はイソプロパノール部分であるジアルキルアルカノールアミンから誘導される対イオンである化合物である。
【０００８】
使用できるその他の陰イオン界面活性剤としては、石油スルホネート及び各アルキル基が6〜10個の範囲の炭素原子を有するジアルキルスルホコハク酸塩、例えばナトリウムジ（2-エチルヘキシル）スルホスクシネート、ナトリウムジ（n-オクチル）スルホスクシネート、及びナトリウムジ（デシル）スルホスクシネートが挙げられる。
使用できる非イオン性界面活性剤としては、例えば2〜20モルの付加エチレンオキシド基を有するポリオキシエチレンノニルフェニルエーテル、2〜20モルの付加エチレンオキシド基を有し、アルキル基中に10〜20個の範囲の炭素原子を有するポリオキシエチレンアルキルエーテル、脂肪酸ソルビタンエステル及び10〜20個の範囲の炭素原子を有し、かつ、モノエタノールアミン、ジエタノールアミン、モノイソプロパノールアミン、又はジイソプロパノールアミン、又はこれらのアルカノールアミンのうちいずれか2種以上の混合物を有する脂肪酸から誘導される脂肪酸アルカノールアミドが挙げられる。
【０００９】
使用できる陽イオン界面活性剤としては、好ましくは1又は2の長鎖アルキル基又はアルケニル基（それぞれ12〜22個の範囲で炭素原子を有する）を有し、3又は2のC1-3アルキル基又はC1-3ヒドロキシアルキル基（ヒドロキシ基は末端に位置する）を有する4級アンモニウム塩が挙げられる。これらの4級アンモニウム塩の幾つかの非限定的な例としては、ジラウリルメチルヒドロキシエチルアンモニウムクロリド、ジセチルエチル-2-（ヒドロキシエトキシ）エチルアンモニウムブロミド、ジステアリルメチルヒドロキシエチルアンモニウムクロリド、ジ-2-ヒドロキシドコシルエチル-2-［ヒドロキシ（ジエトキシ）］エチルアンモニウムエチルサルフェート、ジラウリルジヒドロキシエチルアンモニウムアセテート、ジミリスチルヒドロキシエチル-2-（ヒドロキシエトキシ）エチルアンモニウムプロピオネート、二水素化牛脂アルキルメチルヒドロキシエチルアンモニウムクロリド、二水素化牛脂アルキルジヒドロキシエチルアンモニウムブロミド、ジパルミチル-ジ-2-ヒドロキシプロピルアンモニウム2-ヒドロキシアセテート、及び2種以上のそのような4級アンモニウム塩の混合物が挙げられる。
【００１０】
1種以上の陰イオン界面活性剤と1種以上の非イオン性界面活性剤との混合物、1種以上の陰イオン界面活性剤と1種以上の陽イオン界面活性剤との混合物、1種以上の非イオン性界面活性剤と1種以上の陽イオン界面活性剤との混合物、及び1種以上の陰イオン界面活性剤と1種以上の非イオン性界面活性剤及び1種以上の陽イオン界面活性剤との混合物は、本発明の組成物において使用できるが、もちろん使用される混合物は、ヒトの皮脂及び皮脂の分解生成物を含む溶剤可溶性汚物（soils）、例えば種々の脂質、油、ワックス、炭化水素、及び脂肪酸の再析の除去及び抑制を助けるのに効果的であるばかりか、クリーニングされる繊維製品の繊維に対して目に見えるダメージ又はクリーニングされる繊維製品の染料の浸出を生じないことが条件である。このように、一般的に好適な界面活性剤又は好適な界面活性剤の組み合わせは、本発明の組成物で使用できる。
【００１１】
選択される1種以上の界面活性剤は、組成物の製造時に組成物に添加してもよく、あるいは選択される1種以上の界面活性剤は、ドライクリーニングの設置場所で添加してもよい。また、製造時に1種以上の界面活性剤を添加し、ドライクリーニングの設置場所で添加される1種以上の同一又は異なる界面活性剤を添加することも可能である。この場合、夫々の場所で使用される界面活性剤が互いに混和性であることが重要であり、ドライクリーニングの設置場所の操作で1種以上の界面活性剤を添加することによって、性能が損なわれないことが重要である。
繊維製品のクリーニングに加えて、使用される界面活性剤は、特に洗浄工程で使用される本発明の組成物の溶剤がn-臭化プロピルである場合、洗浄、乾燥される繊維製品の柔軟加工、すなわち良い手触りにも寄与する。
【００１２】
安定化剤成分
本発明の組成物は、安定化に必要な量の1種以上の安定化剤成分を含む。安定化剤成分の好適な種類としては、例えばモノニトロ炭化水素、エポキシド、1,3-ジオキソラン化合物、脂肪族エーテル、及びアミンが挙げられる。
モノニトロ炭化水素としては、ニトロメタン、ニトロエタン、1-ニトロプロパン、2-ニトロプロパン、ニトロシクロペンタン、1-ニトロ-1-シクロヘキセン、ニトロベンゼン、2-ニトロ-p-シメンのような化合物及び2種以上のそのような化合物の混合物が挙げられる。
好適なエポキシドとしては、プロピレンオキシド、1,2-ブチレンオキシド、2,3-ブチレンオキシド、シクロペンテンオキシド、シクロヘキセンオキシド、グリシジルメチルエーテル、グリシジルメタクリレート、エピクロルヒドリンのような化合物及び2種以上のそのような化合物の混合物が挙げられる。
1,3-ジオキソラン化合物は、1,3-ジオキソラン、2-メチル-1,3-ジオキソラン、及び4-メチル-1,3-ジオキソランのような化合物によって類型化される。これらの化合物は、単独で、又はそれらの2種以上の混合物として使用できる。
好適な脂肪族エーテルとしては、ジエチルエーテル、ジプロピルエーテル、ジイソプロピルエーテル、メチルtert-ブチルエーテル、メチルtert-アミルエーテル、メチルプロパギルエーテル、ジブチルエーテル、1,2-ジメトキシエタン、1,2-ジエトキシエタン、エチレングリコールモノメチルエーテル、エチレングリコールモノエチルエーテル、ジエチルグリコールジメチルエーテル、トリエチルグリコールジメチルエーテル、テトラエチルグリコールジメチルエーテルのような化合物、及び2種以上のそのような化合物の混合物が挙げられる。
【００１３】
好適なアミンとしては、ジエタノールアミン、トリエタノールアミン、ジイソプロピルアミン、ブチルアミン、ペンチルアミン、ヘキシルアミン、オクチルアミン、デシルアミン、シクロヘキシルアミン、アニリン、o-エチルアニリン、ベンジルアミン、ジエチルアミン、ジブチルアミン、ジヘプチルアミン、ジアリルアミン、ジシクロヘキシルアミン、N-メチルアニリン、ジベンジルアミン、トリエチルアミン、トリブチルアミン、トリオクチルアミン、N,N-ジメチルアニリン、エチレンジアミン、p-フェニレンジアミンのような化合物、及び2種以上のそのような化合物の混合物が挙げられる。
その他の好適な安定化剤成分としては、フェノール類、例えばフェノール、クレゾール、エチルフェノール、及びキシレノール；アセチレン性アルコール、例えば2-ブチン-1-オール、3-ブチン-1-オール、2-ペンチン-1-オール、3-ペンチン-1-オール、4-ペンチン-1-オール、及び4-ペンチン-2-オール；トリアゾール誘導体、例えばベンゾトリアゾール；及び複素環式化合物、例えばN-メチルモルホリンのような化合物が挙げられる。
本発明の組成物において、安定化剤又は安定化剤の混合物は、組成物の合計重量の最大約10重量％が一般的な量である。
【００１４】
上記種類の2種以上から選択される安定化剤の混合物が好ましい。本発明の方法で使用される混合される安定化剤の好ましいものは、（i）少なくとも1種のニトロアルカン、最も好ましくはニトロメタン、及び（ii）少なくとも1種のエポキシド、最も好ましくは1,2-ブチレンオキシドの組み合わせである。そのような安定化剤の組み合わせは、一般的に、組成物が0.2〜1重量％の（i）及び0.2〜1重量％の（ii）を含むような量で使用される（夫々の重量％は互いにほぼ等しいのが最も好ましい（例えば、それらは±0.2重量％よりも大きく異ならない））。特に好ましくは、溶剤として少なくとも98％の純度の1-ブロモプロパンを含む組成物であって、その安定化剤システムが0.4〜0.6重量％のニトロメタン及び0.4〜0.6重量％の1,2-ブチレンオキシドを含む組成物である。本発明の方法で使用される、混合される安定化剤の好ましい他のものは、（a）少なくとも1種のニトロアルカン、最も好ましくはニトロメタン、（b）少なくとも1種のエポキシド、最も好ましくは1,2-ブチレンオキシド、及び（c）少なくとも1種の脂肪族ポリエーテル及び／又は少なくとも1種の1,3-ジオキソラン又はアルキル置換1,3-ジオキソラン、最も好ましくは1,3-ジオキソランの組み合わせである。そのような安定化剤の組み合わせは、一般的に、組成物が0.2〜1重量％の（a）、0.2〜1重量％の（b）、及び1〜8重量％の（c）を含むような量で使用される（（a）及び（b）の重量％は互いにほぼ等しいのが最も好ましく（例えば、それらは±0.2重量％よりも大きく異ならない）、（c）の重量％は（a）と（b）の合計重量％の少なくとも2倍、より好ましくは少なくとも3倍である）。特に好ましくは、溶剤として少なくとも98％の純度の1-ブロモプロパンを含む組成物であって、その安定化剤システムは0.4〜0.6重量％のニトロメタン、0.4〜0.6重量％の1,2-ブチレンオキシド、及び3.6〜6.0重量％の1,3-ジオキソランを含む組成物である。
【００１５】
その他の成分
ドライクリーニング操作で通常使用される1種以上の成分は、大抵の場合、本発明の組成物においても通常の量で含むことができる。例えば、C1-3アルカノール、多価アルコールエーテル（例えば、2-メトキシエタノール、3-メトキシプロパノール、4-メトキシブタノール及び2-エトキシエタノール）、水、及び帯電防止剤は、本発明の組成物で使用できる追加の成分として挙げられる。
【００１６】
クリーニングする製品
本発明は、本来ドライクリーニングされ、又はドライクリーニングできる繊維製品又は繊維素材（textiles）（繊維製品又は繊維素材はボタン、ファスナー、その他の留め金具、及び／又は詰め物のようなもの又はアクセサリーを含んでもよい）からなる一般的な製品をクリーニングするのに適用される。そのような製品の幾つかの典型的な非限定的な例は、衣服（例えば、スーツ、ドレス、コート、ジャケット、セーター、ベスト、ズボン、スラックス、スカート）、及び繊維からなる家庭用品（例えば、掛け布、カーテン、ブランケット、掛け布団、寝袋、枕、及びテーブルクロス）である。繊維自身は天然繊維又は合成繊維あるいは天然繊維のブレンド、合成繊維のブレンド又はその両方のブレンドであってもよい。
【００１７】
操作機器及び条件
本発明の優れた特徴の一つは、本発明の組成物が装置及びその付属品又はその装置の操作条件の大きな変更を要求しないで、多くの通常のドライクリーニング装置で使用できることである。さらに、本発明の組成物は、業務用クリーニング装置（すなわち、クリーニング業者によって操作される機械）及び硬貨投入式又はセルフサービス方式の装置の両方で使用できる（クリーニングしようとする者は設置場所でクリーニングする）。また、家庭での操作を目的としたクリーニング装置において本発明の組成物を利用することも可能である。
例えば、本発明の組成物は、業務用ドライクリーニング店でのパークロロエチレンの使用のために特に設計された装置でうまく使用できる。日本でよく知られたある製造業者によって製造されたこの種の装置の場合に、軽微な変更のみが必要となるであろう。実際に、ドライクリーニング施設における装置の操作は、現在使用されているパークロロエチレンから本発明の組成物に容易に切り換えられるであろう。せいぜい、そのような装置で使用されるプラスチック、例えば二次加工パイプ、ホース、及びガスケットで使用されるプラスチックのいくらかの変更のみが望ましいことを示す場合があると予想される。
【００１８】
さらに、本発明の組成物は、特に1,1,1-トリクロロエタンの使用を目的とした装置で使用できる。
この種の異なる装置における試験により、装置におけるどんな変更も必要とせず、充分に納得のいく結果を得られることが分かった。一般的な業務用ドライクリーニング装置の概略的なフローダイヤグラムを図１に示す。図１において、用語「ソープ」は、本発明に従って使用される界面活性剤システムを表す。操作に含まれる工程は、（a）本発明のドライクリーニング組成物でクリーニングされる衣料品をタンブリングすること、（b）装置から溶剤を排出すること、及び（c）湿った衣料品を遠心分離装置にかけることを含む。装置からの液体及び蒸気は、図１に示されるように処理される。ある種の装置では、大気に放出される無害の不凝結ガスによって、冷却機／冷凍機内で、10℃で冷却を行う。別の種の装置において、冷却は-30℃で行われ、不凝結ガスはエアバッグに入れられる。クリーニングされる衣料品が多量の油性の染み又は汚れを有する場合、本発明の組成物は、染み又は汚れに手で、又は直接噴霧することによって適用して、衣料品をドライクリーニング操作にかける前に、染み取りとしての機能を果たすことができる。そのような染み取りは、ドライクリーニングの後に、又は所望する場合には、ドライクリーニングの前後に行うこともできる。大容量業務用ドライクリーニング施設において、衣料品はハンガーにかけてもよく、またコンベヤベルトで飽和蒸気に通し、続いて加圧温風を用いて乾燥してもよい。より小規模な施設において、衣料品は、予備乾燥の後、加圧成形してもよい。
【００１９】
一般的に、ドライクリーニングサイクルの洗浄工程は、約25〜30℃の範囲の温度で行われ、乾燥工程は、一般的に約55〜60℃で行われる。もちろん、クリーニングされる繊維製品が効果的にクリーニングされ、その他の温度を使用することによって悪影響を受けない限り、これらの温度を変えることは可能である。1,1,1-トリクロロエタンの使用を目的としたドライクリーニング装置で行われる試験において、溶剤組成物中での2分間の洗浄、4分間の洗濯機からの溶剤の除去、15分間の繊維製品の乾燥、6分間の脱臭、及びタンブラードラムを自動的に回転させることを含む2分間の柔軟仕上げ操作による29分サイクルで、非常に良い結果が得られた。洗浄温度は20℃であった。乾燥は入り口で50℃及び出口で40℃の乾燥温度を用いて行った。蒸気曝露は、装置と空気に対する換気装置の接続部分から1メートル下に配置した検出装置によってモニターした。ほんの10ppmの臭化プロピレン蒸気がこれらの条件のもとで検出された。また、機械の蒸気放出をさらに低減するように改良できることが知られている。
その他のドライクリーニング組成物と比較して、本発明の組成物は、多くの利点を提供する。例えば、評価により、本発明の組成物は、7つのドライクリーニング組成物の中で1番良いことが示され、残りの6つの組成物はその他の知られている有機溶剤をベースとしていた。
その他の結果は、本発明の組成物でクリーニングされる繊維製品の皺が少なく、熱収縮も小さいことを示す。また、本発明の組成物は、より短いサイクル時間の使用、及び少ないアイロン仕上げを可能にし、その結果、商業施設における生産性を改善する。
以下の実施例は本発明の範囲を具体的に示すが、これらに限定されるものではない。
【００２０】
実施例１
本発明のドライクリーニング組成物は、以下の成分を混合したものからなる：
98.5重量％のn-臭化プロピル（純度98％以上；アルベマールコーポレイション）；
0.5重量％のジブチルエタノールアミンサルフェート；
0.5重量％のニトロメタン；及び
0.5重量％の1,2-ブチレンオキシド。
実施例２
本発明の他のドライクリーニング組成物は、以下の成分を混合したものからなる：
98.5重量％のn-臭化プロピル（純度98％以上；アルベマールコーポレイション）；
0.4重量％のジエタノールアミンポリオキシエチレン（6）ドデシルサルフェート；
0.1重量％のジエタノールアミンドデシルベンゼンスルホネート；
0.5重量％のニトロメタン；及び
0.5重量％の1,2-ブチレンオキシド。
【００２１】
実施例３
本発明の他のドライクリーニング組成物は、以下の成分を混合したものからなる：
98.5重量％のn-臭化プロピル（純度98％以上；アルベマールコーポレイション）；
0.5重量％のジエタノールアミンドデシルベンゼンスルホネート；
0.5重量％のニトロメタン；及び
0.5重量％の1,2-ブチレンオキシド。
実施例４
本発明の他のドライクリーニング組成物は、以下の成分を混合したものからなる：
98.5重量％のn-臭化プロピル（純度98％以上；アルベマールコーポレイション）；
0.5重量％のオレイン酸のジエタノールアミド；
0.5重量％のニトロメタン；及び
0.5重量％の1,2-ブチレンオキシド。
【００２２】
実施例５
本発明の他のドライクリーニング組成物は、以下の成分を混合したものからなる：
98.5重量％のn-臭化プロピル（純度98％以上；アルベマールコーポレイション）；
0.3重量％のジブチルエタノールアミンドデシルサルフェート；
0.2重量％のステアリルトリメチルアンモニウムブロミド；
0.5重量％のニトロメタン；及び
0.5重量％の1,2-ブチレンオキシド。
実施例６
本発明の他のドライクリーニング組成物は、以下の成分を混合したものからなる：
94.5重量％のn-臭化プロピル（純度98％以上；アルベマールコーポレイション）；
0.5重量％のジブチルエタノールアミンサルフェート；
4.0重量％の1,3-ジオキソラン；
0.5重量％のニトロメタン；及び
0.5重量％の1,2-ブチレンオキシド。
【００２３】
実施例７
本発明の他のドライクリーニング組成物は、以下の成分を混合したものからなる：
94.5重量％のn-臭化プロピル（純度98％以上；アルベマールコーポレイション）；
0.4重量％のジエタノールアミンポリオキシエチレン（6）ドデシルサルフェート；
0.1重量％ジエタノールアミンドデシルベンゼンスルホネート；
4.0重量％1,3-ジオキソラン；
0.5重量％のニトロメタン；及び
0.5重量％の1,2-ブチレンオキシド。
実施例８
本発明の他のドライクリーニング組成物は、以下の成分を混合したものからなる：
94.5重量％のn-臭化プロピル（純度98％以上；アルベマールコーポレイション）；
0.5重量％のジエタノールアミンドデシルベンゼンスルホネート；
4.0重量％の1,3-ジオキソラン；
0.5重量％のニトロメタン；及び
0.5重量％の1,2-ブチレンオキシド。
【００２４】
実施例９
本発明の他のドライクリーニング組成物は、以下の成分を混合したものからなる：
94.5重量％のn-臭化プロピル（純度98％以上；アルベマールコーポレイション）；
0.5重量％のオレイン酸のジエタノールアミド；
4.0重量％の1,3-ジオキソラン；
0.5重量％のニトロメタン；及び
0.5重量％の1,2-ブチレンオキシド。
実施例１０
本発明の他のドライクリーニング組成物は、以下の成分を混合したものからなる：
94.5重量％のn-臭化プロピル（純度98％以上；アルベマールコーポレイション）；
0.3重量％のジブチルエタノールアミンドデシルサルフェート；
0.2重量％のパルミチルジメチルエチルアンモニウムエチルサルフェート；
4.0重量％の1,3-ジオキソラン；
0.5重量％のニトロメタン；及び
0.5重量％の1,2-ブチレンオキシド。
その他の好適な組成物は、上記の記載から容易に理解されるであろう。
【図面の簡単な説明】
【図１】本発明の組成物が種々のドライクリーニング可能な繊維製品をクリーニングするために使用できる標準的な業務用ドライクリーニング装置の概略的なフローダイヤグラムである。
【図１】
0003696161.tif 000003